(57)【要約】      （修正有）【課題】階段で使用するために特化した構成で移送の労力を軽減するために小型軽量化し操作を簡素化し、またコンパクトに折り畳み収納できる、前脚把持部と吊り手を設置し、階段移送の安全性と快適性を向上させた階段用担架を提供する。【解決手段】担架本体フレームを３角形で折り畳み可能な構成とし、前脚フレーム４を後脚側からＸ字状に交叉させて、交叉する交点に設けた複数の固定金具で複数の交点を設けて形態を変化させ、また要介護人の体重を利用した吊り手を設置することで、構造を簡素化して操作性の良い車椅子また階段用担架として兼用できる。【選択図】図１
2015027422.tif 000002
【特許請求の範囲】
【請求項１】
それぞれ平行する一対の担架フレームと一対の後脚フレームそして一対の担架支持フレームを、側面から見て三角形を構成するように連結し、担架フレームは後脚フレームに角度自在パイプジョイントで、担架支持フレームは後脚フレーム下端に直角に連結されキャスターを挿入するパイプで回転可能に連結され、担架支持フレームと担架フレームにおいて、担架支持フレームは他端で直角に回転可能なパイプに連結され、担架フレームは前記パイプの両端で直角に連結されたスライドパイプに挿入されて、前記スライドパイプと担架支持フレームを連結し回転するパイプが角度自在パイプジョイント側にスライド移動することで、担架フレームと担架支持フレームを後脚パイプ側に折り重なるように折り畳むことが出来るように構成された担架本体フレームからなることを特徴とする折り畳み式階段用担架。
【請求項２】
請求項１の担架本体フレームにおいて、後脚フレームの角度自在パイプジョイントと下端のキャスターとの中間のほぼ座面となる高さで、後脚パイプに直角に回転可能な一対のチーズパイプジョイントを挿入したパイプを連結し、前記チーズパイプジョイントに一対の前脚フレームを連結して、担架支持フレームとＸ字状に交叉して前脚となるように設置し、担架支持フレームと前脚フレームが交叉する交点で担架支持フレームに直角にパイプ１４と前脚フレームに直角にパイプ１５を連結して、パイプ１４にチーズパイプジョイントを挿入してＬ字型固定金具と固定金具を連結したパイプ１２を直角に回転可能に設置し、パイプ１２の他端をパイプ１５の上側でほぼ水平に押し上げて前脚側へ突き出すようにして、前方から手が容易に届くように複数の固定金具を備えたパイプを設置することを特徴とする折り畳み式階段用担架。
【請求項３】
請求項１の担架本体フレームにおいて、後脚フレームの上端部で直角に連結されたパイプを回転軸として、一対の吊り手フレームを直角に回転可能に連結し、前記回転軸のパイプにそれぞれが外縁距離を７ｃｍ程度開けて平行なパイプを連結し、長さを３０ｃｍ程度の吊り手フレームと前記平行なパイプが側面から見てＬ字型となるように連結し、吊り手フレームの他端に直角にパイプを連結して前記パイプ両端で直角に回転するようにロープを巻き付けてＵの字型の吊り手ロープとし、
ベルト状のシートを、外縁距離７ｃｍ程度開けて連結する平行なパイプを内側で回転するように懸架して、前記回転するパイプが固定突起で制止されることで、吊り手フレームと後脚フレームを１５０°の角度となるように設置し、また吊り手フレームをシートに坐した要介護者の背後で回転制止できるようにし、前記ベルト状に懸架したシートを前記平行座面の高さで後脚パイプに直角に連結したパイプの後ろ側に迂回して、他端でスライドパイプを連結するパイプにベルト状に弛みを持たせて懸架することで、ベルト状のシートにかかる要介護者の体重によるテンションが、安定的に固定静止または回転できる構成の吊り手から成る事を特徴とする折り畳み式階段用担架。
【請求項４】
請求項１の担架本体フレームにおいて、平行する一対の後脚フレーム下部に、階段側に向けて一対の滑落防止金具を設け、キャスターに重心を移して走行する場合は床面からその先端が２ｃｍ程度の距離を開けて、また階段移動時にキャスターが階段踏み面角から脱輪した場合に、階段踏み面角から３ｃｍ程度階段奥で滑落を制止する滑落防止金具を備えることを特徴とする折り畳み式階段用担架。
【発明の詳細な説明】
【技術分野】
【０００１】
本発明は、身体障がい者、病人等の要介護人を階段移送または室内外移送する際に使用する階段用担架に関するものである。          
【背景技術】
【０００２】
階段用担架として、スライドパイプをスライドすることで前脚把持部を伸張して階段下側から、また吊り手を伸張して階段上側からそれぞれ担架を支持して、要介護人を通常の担架では困難な移送をより容易にするものが考案されている。      
【先行技術文献】
【特許文献】
【０００３】
【特許文献１】特許第４７１１３５８号（図２）
【発明の概要】
【発明が解決しようとする課題】
【０００４】
階段用担架は、より軽量で操作性が良い物が求められる。それで、従来のスライド式構造であって固定ピンを不要とし、また上側の吊り手を担架シートが固定できる構造にして、構造の簡素化と軽量化そして操作の簡便さ高め、また折り畳みできる構造を合わせ持ちながら特許文献１と同様の効果を求めた。
【課題を解決するための手段】
【０００５】
それぞれ平行する一対の担架フレーム１と一対の後脚フレーム２そして一対の担架支持フレーム３において、後脚フレーム２と担架フレーム１は角度自在パイプジョイント２４で折り畳みができるように連結され、後脚フレーム２と担架支持フレーム３は、後脚フレームの下端で直角に連結されたパイプ９で回転可能に一対のパイプジョイントで連結されて、側面から見て三角形を構成するように連結し、前脚フレーム４を一対の後脚フレーム２の座面の高さで直角に連結したパイプ８で回転可能に連結して担架支持フレーム３とＸ字状に交叉するように設置し、担架フレーム１と担架支持フレーム２とそして前脚フレーム３を、それぞれ図９のように後脚パイプ２側に折り重なるように折り畳みできるようにする。
【０００６】
パイプ８に直角に回転できる一対のチーズパイプジョイント２５を挿入して連結した平行する一対の前脚フレーム４を、図９のように折り畳んだパイプ６を迂回するように曲げ加工Ｒすることで、前脚フレームを後脚フレーム２に平行に折り畳めるようにした。
【０００７】
図１のように、後脚フレーム２の下端と前脚フレームの前端にそれぞれ一対のキャスターを備え、前後に移動できるようにする。
【０００８】
担架本体フレームにシートＳを設置して座椅子状にし、前脚フレーム４を担架支持フレーム３と座面の下でそれぞれＸ字状に交叉するように設置して前脚とし、平面では車椅子として使用できようにする。
【０００９】
担架支持フレーム３とＸ字状に交叉する前脚フレーム４の交点に複数の固定金具を設置して交点を移動できるようにして前脚フレームの設置角度を変えることが出来るようにして、車椅子としての使用時にはフットレスとして使用していた前脚フレーム先端に直角に設置したパイプ１０を前脚把持部とすることで、階段下側の介護者の労力を経験できる車椅子から階段用担架としての機能を持たせるようにする。
【００１０】
また後脚フレーム２の上端に設置した吊り手フレーム５を、後脚フレーム２と角度θ１の１５０°となるように設置することで、階段上側では介護者が腰の辺りまで吊り手ロープを操作できるようにして、階段上側の介護者の労力を軽減できる階段用担架としての機能を持たせるようにする。
【００１１】
吊り手は回転できるようにして、車椅子としての使用時と階段用担架としての使用に応じて、吊り手を固定しまた収納のために回転できるようにする。
【００１２】
吊り手フレームを、シートＳにかかる要介護人の体重によるテンションが、固定突起１３で安定して設置し、また要介護人の背後で安定的に収納できるようにする。
【００１３】
担架支持フレーム３が、Ｘ字状に交叉する前脚フレーム４を交叉する交点で上側から抑えるように配置され、また前脚フレームは担架支持フレームを挟むようにしてその外側を移動できるようにする。
【００１４】
担架支持フレーム３が前脚フレーム４とより確実にＸ字状に固定できるように、担架支持フレーム３のパイプ１４の連結部に、パイプ１５を前脚側上側から押さえるように固定突起２６を設ける。
【００１５】
前方からの操作をし易いように、交叉する交点のパイブ１５の上側でパイプ１４に回転可能に連結するパイプ１２の他端を、階段下の介護者側へ向けてほぼ水平に突出するように設置する。
【００１６】
特許文献１では、ブレーキを備えた後脚キャスターが階段踏み面上で静止したが、本発明では後脚フレーム２が複数の階段踏み面角で階段角度に沿うように静止するために、一対の後脚キャスターの下部に階段側に向けて一対の滑落防止金具を設置する。
【００１７】
滑落防止金具がより効果的に作用して、同時に移動時の障害にならないようにするための設置位置を、後脚キャスターで移動時の段差からの脱落時のショックの軽減と安全性を確保できるようにする。
【発明の効果】
【００１８】
担架本体フレームを後脚フレーム２で階段踏み面角の直線上に添わすことが出来るので、直線的に階段上下移送できるようになり労力の軽減を可能にした。
【００１９】
吊り手の設置をシートのテンションを利用することで構造を簡素化し、担架本体フレームとＸ字状に交叉する前脚フレームの固定金具を回転する固定金具一か所に簡素化し、簡素化した固定金具を介護者側に容易に手の届く位置に配置したので、軽量化と操作性が向上した。
【００２０】
【図面の簡単な説明】
【００２１】
【図１】全体図
【図２】本体骨格図
【図３】前脚図
【図４】吊り手図
【図５】吊り手収納図
【図６】階段での使用図
【図７】固定金具図
【図８】座面シートの使用図
【図９】折り畳み図
【図１０】滑落防止金具図
【発明を実施するための形態】
【００２２】
それぞれ平行する一対の担架フレーム１と一対の後脚フレーム２そして一対の担架支持フレーム３において、側面から見て三角形を構成するように構成する。
【００２３】
担架フレーム１は後脚フレーム２に、角度自在パイプジョイント２４で平行に折り畳みができるように連結される。
【００２４】
担架支持フレーム３は、後脚フレーム２の下端で直角に連結されたパイプ９に回転可能に一対のチーズパイプジョイント２５を挿入してパイブ９に直角に連結され、後脚フレーム２に平行に折り畳みできる。
【００２５】
担架支持フレーム３の他端で、直角に回転するように一対のチーズパイプジョイント２５に挿入したパイプ６を連結し、パイプ６の両端で担架フレーム１を挿入しパイプジョイント側へスライドできるスライドパイプ１６を連結し、担架フレーム１のスライドパイプ１６からの脱落を防止する移動制止金具２７を設置した。
【００２６】
担架フレーム１が挿入されるスライドパイプ１６は、連結されるパイブ６との連結点から前方に１０ｃｍ程度突き出して設置する。
【００２７】
後脚フレーム２に下端のキャスターと角度自在パイプジョイント２４の間の座面となる高さで直角に連結したパイプ８に、回転可能な一対のチーズパイプジョイント２５を挿入して、パイブ８に直角で回転可能に平行な一対の前脚フレーム４を、担架支持フレーム３とＸ字状に交叉するように設置して前脚とした。
【００２８】
担架支持フレーム３と前脚フレーム４が交叉する交点となる位置に、担架支持フレーム３に直角にパイプ１４を、また前脚フレーム４に直角にパイプ１５を連結した。
【００２９】
パイブ１４に、Ｌ字型固定金具１７と固定金具１８を連結したパイプ１２を、直角に回転可能にチーズパイプジョイント２５で連結して、Ｌ字型固定金具はパイプ１２のチーズパイプジョイント側に、そして固定金具１８はパイプ１２の他端側でスライド移動できるように挿入して、スライド移動を制限する移動制止金具２９と移動制止金具３０を設けた。
【００３０】
Ｌ字型固定金具１７は、交叉する交点からパイプ１５を離脱させないように交点で保持する。
【００３１】
パイプ１２で回転する固定金具１８は、パイブ１２が回転する時に、固定金具１８を移動制止金具３０へスライド移動した時に、固定金具１８の先端がパイプ１５に触れないように設置される。
【００３２】
また移動制止金具２９は、固定金具１８がパイプ１２から脱落しないように設けるが、固定金具の自重がパイプ１５を上側から押さえる程度に、移動制止金具２９と移動制止金具３０とのスライド距離を設けて設置する。
【００３３】
一対の担架支持フレーム３とはパイプ１４は、平行する前脚フレーム４の間で平行するパイプ８とパイプ１５の間にあって、側面から見て前脚フレーム４をパイプ１５の上から押さえるようにＸ字状に交叉する。
【００３４】
パイプ１４は図７のように車椅子として使用する時、Ｌ字型固定金具１７と固定金具１８を回転可能に連結したパイプ１２を連結してパイプ１５の上側にあって、パイブ１５がパイプ１２の他端をほぼ水平に押し上げて前脚側に突き出すように設置する。
【００３５】
また担架支持フレーム３とパイプ１４の連結点に、担架支持フレーム３から下側に向けて一対の固定突起２６が設置され、パイブ１５を前脚側上側から押さえる。
【００３６】
担架支持フレーム３の後脚側に、下側に向けて一対の移動制止金具２８を、パイブ１５が固定金具１８で固定される位置に、前脚フレーム４のパイプ８での回転を制止するように設置する。
【００３７】
ハイブ８を、前脚フレーム４がパイプ８を中心軸にして移動制止金具２６と移動制止金具２８の間で円回転できるように設置する。
【００３８】
固定金具１８は、その先端がパイプ１４の中心から描く半径はおよそ１４ｃｍ程度とし、パイブ１５の直径程度の長さとする。
【００３９】
前脚フレーム４は、パイプ８との連結側で図３のように曲げ加工Ｒして、図９のように折り畳んだ場合にパイプ６を迂回できる程度とし、前脚フレーム４を後脚フレーム２に平行に折り畳めるようにした。
【００４０】
パイプ９とパイプ１０にそれぞれ一対のキャスターを挿入して、それぞれ後輪と前輪とした。
【００４１】
後脚フレーム２の上端部で直角に連結されたパイプ７に、回転可能な一対の四方エルボパイプジョイント２２を挿入してパイブ７に直角になるように一対の吊り手フレーム５を連結し、そして前記四方エルボパイプジョイント２２のもう一方の連結部で、一対のパイプ２１連結してその他端にパイプ１１をパイプ７と平行になるように連結して、パイプ７を中心に吊り手フレーム５とパイブ７が側面から見てＬ字形を成して回転可能に連結した。
【００４２】
吊り手フレーム５の他端で直角にパイプ１９を連結して、パイプ１９の両端ではさらにロープ２０を、パイプ１９に直角方向に回転可能にロープを巻き付けてＵの字となるように連結して吊り手とした。
【００４３】
パイプ１１の回転を制止する固定突起１３を後脚フレームに設置して、回転を制止された吊り手フレーム５が、後脚フレーム２と角度θ１の約１５０°となるようにした。
【００４４】
吊り手フレーム５の長さを約３０ｃｍとし、平行するパイプ７とパイプ１１の外縁距離Ｃを７ｃｍ程度として、パイブ１１は吊り手フレーム５を回転すると後脚フレーム２の延長線上を頂点として通過して、固定突起１３の後ろ側に回転移動する。
【００４５】
シートＳは幅約３０ｃｍ程度のベルト状になっていて、パイプ６と、吊り手側ではパイプ７、１１の両パイプをベルト内に挿入するようにしてハンモックのように懸架するのであるが、シートＳをパイプ８の後ろ側を迂回するように設置して図６のようにシートＳは側面から見るとＬ字状になるようにする。この時、パイプ６からパイプ８までの座面となる前後距離を約４０ｃｍ程度にして、パイブ８からパイプ７までの座高を７０ｃｍ程度とする。
【００４６】
シートＳは、パイプ７を回転軸で吊り手フレーム５を回転した時パイプ１１が後脚フレームの延直線上の最上部に達した時に、パイブ１１がシートＳの内側で回転できるように弛みを持たせて設置する。
【００４７】
パイプ７から吊り手フレーム５の長さとＵの字の吊り手ロープの頂点で把持部にする吊り手の全長を、７０ｃｍ程度に設置する。
【００４８】
一対の担架フレーム１は４５ｃｍ程度の幅で平行していて、後脚フレーム２の全長は１００ｃｍ程度とする。パイプ６の地上からの座面高は４０ｃｍ程度とし、前脚フレーム４の長さをパイプ８から７０ｃｍ程度として他端で直角にパイプ１０を連結してフットレストあるいは前脚把持部として要介護人の足元に配置する。
【００４９】
担架支持フレーム３を折り畳む際に、スライドパイプ１６が角度自在パイプジョイント２４に当たらないでスライドできるようにする。
【００５０】
後脚のキャスターを挿入するパイプ９の後脚フレーム２のすぐ上に、階段側の方向に向けて滑落防止金具２３を設置した。
【００５１】
滑落防止金具２３の長さは、階段での使用時に後脚フレーム２を階段踏み面角に添わせた時に、滑落防止金具としての性能を有するため階段踏み面角から約３ｃｍ階段踏み面奥で滑落防止金具の先端が接地する長さとした。
【００５２】
後脚フレーム２を４０°後方に傾斜させた場合の滑落防止金具２３の先端の設置を、図１０のようにキャスターからの距離をＡ、そして床面からの距離をＢとした。距離Ａは階段踏み面角から脱落した時の階段踏み面角からの水平距離で約３ｃｍ、距離Ｂは垂直距離で約２ｃｍとする。距離Ｂは小さい程脱落のショックは少ないが、後脚フレームを４０°以上傾斜して前脚を浮かして障害物を超えるためにも、距離Ｂを２ｃｍ程度とした。
【００５３】
図面には無いが、パイプ７の両端部で回転可能に一対のキャスターを挿入して、前記キャスターが階段踏み込み面または階段踏み面角で転がることで接触抵抗を軽減するようにする。但し前記キャスターの直径は、パイブ７または四方エルボパイプジョイント２２またはパイプ７と後脚フレームの連結部が階段踏み込み面または階段踏み面角と接触しないように、５ｍｍから１０ｍｍ程度の間隔をあける径とし、またパイプ７と固定突起１３で平行に静止するパイプ１１が、前記キャスターの回転を妨げないようにする。
【００５４】
図面には無いが、滑落防止金具２３が上方向からの圧力に対しては折れ曲がり可能か、あるいは回転するようにすると良い。
【実施例１】
【００５５】
要介護人を移乗する場合は、シートＳのパイプ８側の座面奥に座るのが良い。車椅子として使用する場合は、前脚パイプ１０に要介護人の足を乗せてフットレストとして使用し、図面には無いがシートベルトを着用しキャスターで平面移動する。
【００５６】
階段を昇る場合に階段上の介護者は、パイプ１１を固定突起１３で静止することで吊り手フレーム５を後脚フレーム２と角度θ１の１５０°の角度で固定し、吊り手ロープを吊り手フレーム５の延長線上に伸ばす。そして背を階段側に向け後脚フレーム２をゆっくりと階段傾斜に沿うまで傾ける。
【００５７】
この時、前脚フレーム４は宙に浮いて当初の交点から離脱しょうとするが、パイブ１２が回転してＬ字型固定金具１８がパイプ１５を抱え込むように交点で保持する。
【００５８】
階段下の介護者は、スライドパイプ１６の前方に１０ｃｍ程度突き出した部分を把持部として階段上の介護者とタイミングを合わせて階段を一段毎に要介護人を乗せたまま数段昇る。
【００５９】
階段下の介護者は、滑落防止金具２３で階段踏み面を滑落しないように階段用担架を制止してから、パイプ１２を少し上へ回転してＬ字型固定金具１７からパイプ１５を離脱して、前脚フレーム４をパイプ８で回転移動し移動制止金具２８で制止する。
【００６０】
次にパイプ１２を回転して固定金具１８の先端を、移動制止金具３０までスライド移動してパイプ１５と接触しないようにして、移動制止金具２９またはパイプ１２がパイプ１５に当たるまで押し込んだ後手を離す。
【００６１】
固定金具１８から手を離すと、パイブ１２は固定金具１８を下にして自重でほぼ垂直になって、固定金具１８は移動制止金具２９まで自重でスライド移動するので、パイプ１５は移動制止金具２９またはパイプ１２と固定金具１８とで形成するＬ字形で挟むようにして固定される。
【００６２】
要介護人のフットレストとして使用していたパイプ１０は階段下の介護者の腰の辺りまで位置を下げるので、前脚把持部として階段用担架を下側から支持する。
【００６３】
吊り手ロープ２０は、階段上の介護者にとって昇降操作しやすいパイブ７から７０ｃｍ階段上の腰の辺りで持って支持することが出来る。その時介護者の足は、あらかじめパイプ７の位置から二段上の階段踏み面に立って、パイブ７を上げる一段分を開ける。
【００６４】
シートＳはパイプ８の後ろ側から迂回してパイプ６で懸架されているので、要介護人の臀部は座面奥に移動し座り心地は良いだけてなく、パイプ８がシートＳに摩擦抵抗をもたらすので、要介護人の体重が吊り手フレームをより安定して固定または制止する。要介護人の臀部が座面奥に移動することで、重心は後脚フレーム側で安定することで、急傾斜の階段に対しても、より後方へ傾斜したまま階段傾斜に添って安定を保つことができる。
【００６５】
階段上の介護者は、階段上の踊り場に達すると吊り手ロープからパイプ１９へ持ち替えて後脚のキャスターを踊り場に到達させる。その時、階段下の介護者はパイプ１５を再びＬ字型固定金具１７で保持して階段用担架を車椅子として使用できるようにする。
【００６６】
階段を降りる場合は、階段踊り場まで前進し前脚のキャスターを宙に浮かせ後脚のキャスターで階段踊り場端部に達すると、階段下の介護者はＬ字型固定金具１７からパイプ１５を離脱して、フットレスとなっているパイプ１０を再び前脚把持部として使用できるように固定金具１８で固定する。
【００６７】
階段上の介護者は後脚のキャスターの位置を十分に確認する必要があるが、仮に後脚のキャスターが踊り場を踏み外したとしても、キャスターの近くの滑落防止金具２３が脱輪のショックを軽減して滑落からの安全装置として作用する。
【００６８】
後脚のキャスターでバランスを取って移動する時、階段用担架を後ろに必要以上に傾け過ぎて滑落防止金具２３の先端が床面に接触しないようにする。
【００６９】
階段上の介護者は、階段を降りる場合はパイプ７の一段上の階段踏み面に立ち、一段毎に降下して行く。
【００７０】
パイプ７とパイプ１１の両方が弛みを持たせたベルト状のシートＳの内側にあるので、パイプ７を中心軸にパイプ１１が回転する。パイプ１１は約７ｃｍ対３０ｃｍの梃の原理でシートＳにかかる様介護人の体重による重力を克服してを回転することができる。
【００７１】
パイプ１９で回転するように巻き付けられた吊り手ロープ２０は、必要に応じてパイプ１９で回転して上下に移動するので、吊り手フレーム５の長さを４０ｃｍとすると階段用担架の全高は約１４０ｃｍであるため、室内の移動で吊り手フレーム５または吊り手ロープ２０が鴨居等で移動の障害になる事は無い。
【００７２】
固定突起１３で固定制止されていたパイプ１１は、図５のように要介護人の背側へ回転し、吊り手フレームは要介護人の背で回転を制止されるので、介護タクシーに乗車する場合など地上高が約１００ｃｍの場面で移動が可能である。
【００７３】
図面には無いが、パイプ７に挿入したキャスターはパイプ１１が固定突起１３で静止されている場合要介護者の頭部を枕のように支えていて、要介護人の頭部への接触を防止してくれる。
【００７４】
図面には無いが、滑落防止金具２３が、上からの圧力で折れ曲がるか回転する構造にすると、階段上への移動時に階段踏み面角での引っかかりを無くすることができて、降下の時には滑落を防止する。
【００７５】
折り畳む時は、最初に吊り手フレーム５を回転して要介護人の背部の位置に収納する。次に階段用担架の後脚フレームを片方の手で持ち、もう片方の腕をパイプ６の外側からまわしてからパイプ１２を回転しＬ字型固定金具１７からパイプ１５を離脱し、パイプ６を後脚フレームの方へ押すとスライドパイプ１６が担架フレーム１を角度自在パイプジョイント側へスライド移動して、それと共に担架フレーム１と担架支持フレーム３が折り畳まれて、後脚フレーム側でほぼ垂直に立つ。最後にパイプ１０を吊り手側に回転移動して前脚フレーム４を吊り手側へ折り畳み、そのままゆっくりと後ろ側へ倒すと、図９のようになる。
【産業上の利用可能性】
【００７６】
車椅子あるいは階段用担架としての使用が出来る当発明は、自力で階段移動できない要介護人や急病人などの移送用担架として、通常の担架を使用できない狭い階段や通路などの場面で救急活動や介護福祉産業に貢献できる。
【符号の説明】
【００７７】
１              担架フレーム
２              後脚フレーム
３              担架支持フレーム
４              前脚フレーム
５              吊り手フレーム
６〜１２        パイプ          
１３、２６      固定突起              
１４〜１５      パイプ
１６            スライドパイプ      
１７            Ｌ字型固定金具
１８            固定金具            
１９            パイプ
２０            吊り手ロープ
２１            パイプ            
２２            四方エルボパイプジョイント
２３            滑落防止金具
２４            角度自在パイプジョイント
２５            チーズパイプジョイント
２６〜３０      移動制止金具
Ａ、Ｂ、Ｃ      距離
Ｒ              曲げ加工
θ１            角度
【図１】
2015027422.tif 000003
【図２】
2015027422.tif 000004
【図３】
2015027422.tif 000005
【図４】
2015027422.tif 000006
【図５】
2015027422.tif 000007
【図６】
2015027422.tif 000008
【図７】
2015027422.tif 000009
【図８】
2015027422.tif 000010
【図９】
2015027422.tif 000011
【図１０】
2015027422.tif 000012